(57)【要約】【課題】  把手なし手掛け式である外引出しを使用するキャビネットにおいても、収容効率の改善をすることができるキャビネットを提供する。【解決手段】  前面側に開口を有するキャビネット本体１ａと、表面が前方の外側面となる前板５を有してキャビネット本体１ａに出し入れされる外引出し３と、外引出し３の前板５の位置よりも内方部分に収容してキャビネット本体１ａに出し入れされる内引出し２と、を備え、内引出し２は、外引出し３の前板５がキャビネット本体１ａの開口まで押し入れられたときに前板５の裏面１４を当接させる戸当たり部６が、外引出し３をキャビネット本体１ａに出し入れする際に手掛けする凹部１３を前板５の裏面１４側に形成するよう、その前面８側に一体に設けられる。【選択図】図１
2006061325.tif 000002
【特許請求の範囲】
【請求項１】
前方に開口を有するキャビネット本体と、表面が前方の外側面となる前板を有してキャビネット本体に出し入れされる外引出しと、外引出しの前板の位置よりも内方部分に収容してキャビネット本体に出し入れされる内引出しと、を備え、
内引出しは、外引出しの前板がキャビネット本体の開口まで押し入れられたときに前板の裏面を当接させる戸当たり部が、外引出しをキャビネット本体に出し入れする際に手掛けする凹部を前板の裏面側に形成するよう、その前面側に一体に設けられたことを特徴とするキャビネット。
【発明の詳細な説明】
【技術分野】
【０００１】
本発明は、把手なし手掛け式の引出しを有したキャビネットに関するものである。
【背景技術】
【０００２】
従来から、キッチン、洗面化粧ユニット等に使用されるキャビネットについては、引出しを収容する際に行き過ぎないために、キャビネットの開口枠の周囲に戸当たり部材が備えられ、これに前板の裏面を当接させる構造が一般的に採用されている。ところが、この戸当たり部材は固定されているため、その裏面側の内方部分を収容スペースとして用いることが困難であり、収容効率の改善が期待されている。ここで、キッチン、洗面化粧ユニット等に使用されるキャビネットの収容効率の改善に関する技術としては、特開２００３−２８４６１４号公報（特許文献１）に開示されている技術がある。これは把手付き式である外引出しに内引出しを設け、内引出しが外引出しと連動し、外引出しを引出すと同時に内部の内引出しが引出せるとする技術である。
【０００３】
しかしながら、図３に示す如く、最近の主流である把手なし手掛け式である外引出しを使用するキャビネット１においては、使用者が手掛けするスペースを確保する必要から、上下方向に重ねて配置される外引出し３と外引出し９との間に備えられる戸当たり部材１０の高さが大きくなる傾向があり、その戸当たり部材１０の裏側、つまり外引出し３の前板５の位置よりも内方部分には収容スペースとして用いることが困難なデッドスペースが増加し、結果、さらなる収容効率の改善が期待されることとなる。
【特許文献１】特開２００３−２８４６１４号公報
【発明の開示】
【発明が解決しようとする課題】
【０００４】
本願発明は、上記背景技術に鑑みて発明されたものであり、その課題は、把手なし手掛け式である外引出しを使用するキャビネットにおいても、収容効率の改善をすることができるキャビネットを提供することである。
【課題を解決するための手段】
【０００５】
上記課題を解決するために、本願発明は、前方に開口を有するキャビネット本体と、表面が前方の外側面となる前板を有してキャビネット本体に出し入れされる外引出しと、外引出しの前板の位置よりも内方部分に収容してキャビネット本体に出し入れされる内引出しと、を備え、内引出しは、外引出しの前板がキャビネット本体の開口まで押し入れられたときに前板の裏面を当接させる戸当たり部が、外引出しをキャビネット本体に出し入れする際に手掛けする凹部を前板の裏面側に形成するよう、その前面側に一体に設けられたことを特徴とするキャビネットである。
【発明の効果】
【０００６】
本願発明によれば、把手なし手掛け式である外引出しを使用するキャビネットにおいて、手掛けする凹部を外引出しの前板の上端部の裏面側に形成するよう、戸当たり部が内引出しの前面側に一体に設けられているので、外引出しの前板の位置よりも内方部分には、手掛けするスペースとなる凹部を確保できるとともに、戸当たり部を一体的に設けられた内引出しの収容スペースとしても利用することによって、背景技術では存在したデッドスペースをなくすことができ、よってキャビネットの収容効率を改善することができる。
【発明を実施するための最良の形態】
【０００７】
図１は、本願の請求項に対応した一実施形態であるキャビネット１を示している。
【０００８】
本実施形態のキャビネット１は、図１に示す如く、前方に開口を有するキャビネット本体１ａと、表面が前方の外側面となる前板５を有してキャビネット本体１ａに出し入れされる外引出し３と、外引出し３の前板５の位置よりも内方部分に収容してキャビネット本体１ａに出し入れされる内引出し２と、を備え、内引出し２は、外引出し３の前板５がキャビネット本体１ａの開口まで押し入れられたときに前板５の裏面１４を当接させる戸当たり部６が、外引出し３をキャビネット本体１ａに出し入れする際に手掛けする凹部１３を前板５の裏面１４側に形成するよう、その前面８側に一体に設けられている。
【０００９】
以下、本実施形態によるキャビネットを、より具体的詳細に説明する。
【００１０】
本実施形態では、キャビネット１は、キャビネット本体１ａに出し入れされる外引出し３と、外引出し３の前板５の内側に収容してキャビネット本体１ａに出し入れされる内引出し２と、を有している。ここで、外引出し３の前板５がキャビネット本体１ａの開口まで押し入れられたときに、前板５の上端部７の裏面１４と、戸当たり部６（詳細後述）と、内引出し２の前面８により凹部１３が形成される。この凹部１３がキャビネット１の使用者が手掛けする空間となる。
【００１１】
また外引出し３は前板５と箱体４とを有しており、箱体４の側面部に備えられた図示しないガイドレールによってキャビネット本体１ａに出し入れ自在に支持されている。前板５は、キャビネット本体１ａの開口まで押し入れられたときに、その上端部７の裏面１４を戸当たり部６に当接させるものである。この状態で前板５の表面がキャビネット１前方の外側面となる。
【００１２】
また内引出し２は、略箱形状をなしており、その側面部に備えられた図示しないガイドレールによって、キャビネット本体１ａに出し入れ自在に支持されている。またガイドレールには図示しないストッパーが備えられており、内引出し２を入れたときに行き過ぎないように所定の位置で停止するようになっている。ストッパーはガイドレール以外にも内引出しの後面に備えてもよい。
【００１３】
また戸当たり部６は、内引出し２の前面８側に一体に設けられているが、上述の凹部１３を深くすることができるため、特に前面８の下方に設けられることが好ましい。この場合、戸当たり部６を別途用意して、前面８の下方に取り付けることのほか、内引出し２の底板を前方に延出することで、戸当たり部６とすることもできる。この場合、戸当たり部６は横方向に連続して設けられることとなるが、これに限られず、前面８の横方向において、一部を突出させた不連続な状態で設けてもよい。また戸当たり部６は軽量化の観点から中空構造であってもよく、前板５の保護の観点から、前板５との当接面にゴム、エラストマ等の緩衝材を設置してもよい。一方、この当接面に係合部を設けることで、必要なときには外引出し３と内引出し２を同時に引出せるようにしてもよい。さらに戸当たり部６の先端を鉤手状にすることで、内引出し２の把手としても構わない。
【００１４】
なお戸当たり部６の上方は、引出し９が備えられている。この引出し９及びその戸当たり部は内引出し２の出し入れを邪魔しないように取り付けることが必要である。
【００１５】
従って、本実施形態のキャビネット１によれば、把手なし手掛け式である外引出し３を使用するキャビネット１において、手掛けする凹部１３を外引出し３の前板５の上端部７の裏面１４側に形成するよう、戸当たり部６が内引出し２の前面８側に一体に設けられているので、外引出し３の前板５の位置よりも内方部分には、手掛けするスペースとなる凹部１３を確保できるとともに、戸当たり部６を一体的に設けられた内引出し２の収容スペースとしても利用することによって、背景技術では存在したデッドスペースをなくすことができ、よってキャビネット１の収容効率を改善することができる。
【図面の簡単な説明】
【００１６】
【図１】本願発明の一実施形態であるキャビネットの縦断面図。
【図２】本願発明の他の実施形態であるキャビネットの縦断面図。
【図３】従来のキャビネットの縦断面図。
【符号の説明】
【００１７】
１  キャビネット
１ａ  キャビネット本体
２  内引出し
３  外引出し
５  前板
６  戸当たり部
８  前面
１３  凹部
１４  裏面
【図１】
2006061325.tif 000003
【図２】
2006061325.tif 000004
【図３】
2006061325.tif 000005